(57)【要約】【課題】本発明は除湿装置に関するものであり、第１の風向変更部と第２の風向変更部が、閉じた状態で停止したり、異なる方向を向いた状態で停止すると、使用者が誤認し故障と勘違いすることを防止することを目的とするものである。【解決手段】制御部３４は、湿度測定部の測定値が、所定の値より大きいときには、除湿部と送風部８とを動作させ、第１の回動部１８と第２の回動部とを動作が異なるように制御する除湿運転を行い、制御部３４は、除湿運転中に、湿度測定部の測定値が、所定の値より小さくなると、除湿部の動作を停止し、第１の回動部１８と第２の回動部によって第１の風向変更部１６と第２の風向変更部１７とを所定の同一角度で停止する待機運転を行うことを特徴とする除湿装置。【選択図】図６
2018140350.tif 000002
【特許請求の範囲】
【請求項１】
吸込口と上方に開口した横長の吹出口を有する本体ケースと、
前記本体ケース内に設けられた除湿部と、
前記吸込口から吸い込んだ空気を前記除湿部を介して前記吹出口へ送風する送風部と、
前記吹出口の上方に、上下方向へ回動自在に設けられた第１の風向変更部と第２の風向変更部と、
前記第１の風向変更部を回動させる第１の回動部と、
前記第２の風向変更部を回動させる第２の回動部と、
湿度を測定する湿度測定部と、
前記湿度測定部の測定値に応じて、前記除湿部と、前記送風部と、前記第１の回動部と、前記第２の回動部とを制御する制御部とを備え、
前記制御部は、前記湿度測定部の測定値が、所定の値より大きいときには、前記除湿部と前記送風部とを動作させ、前記第１の回動部と前記第２の回動部とを動作が異なるように制御する除湿運転を行い、
前記制御部は、前記除湿運転中に、前記湿度測定部の測定値が、所定の値より小さくなると、前記除湿部の動作を停止し、前記第１の回動部と前記第２の回動部によって前記第１の風向変更部と前記第２の風向変更部とを所定の同一角度で停止する待機運転を行うことを特徴とする除湿装置。
【請求項２】
前記第１の風向変更部と前記第２の風向変更部とは、前記吹出口の長辺方向に並び、
前記第１の風向変更部は、前記吹出口における一方短辺側に設けられ、
前記第２の風向変更部は、前記吹出口における他方短辺側に設けられ、
前記第１の風向変更部と前記第２の風向変更部との回動軸は、前記吹出口の長辺方向に延びることを特徴とする請求項１記載の除湿装置。
【請求項３】
前記所定の同一角度は、全閉状態より３０度から６０度開いた角度であることを特徴とする請求項２記載の除湿装置。
【発明の詳細な説明】
【技術分野】
【０００１】
本発明は、居住空間などに用いられる除湿装置に関するものである。
【背景技術】
【０００２】
居住空間の湿度を低下させ、快適性を増すものとして除湿装置が実用化されている。従来、この種の除湿装置は、上部に送風口を有する本体ケースと、この本体ケース内に設けられた除湿部および送風部と、前記送風口に設けた風向変更部とを備えたものとなっている（なお、これに関連する先行文献としては下記特許文献１がある）。
【先行技術文献】
【特許文献】
【０００３】
【特許文献１】特開２００２−２６７２０３公報
【発明の概要】
【発明が解決しようとする課題】
【０００４】
上記従来例における課題は、設定湿度以下となり、待機運転時に風向変更部が閉じた状態で風向変更部の動作が停止すると、機器自体が停止してしまったと使用者が誤認し、故障と勘違いすることであった。
【０００５】
また、複数の風向変更部を有する場合は、設定湿度以下となり、待機運転時に複数の風向変更部が異なる方向を向いた状態で風向変更部の動作が停止すると、見た目の違和感から故障と勘違いするという課題があった。
【０００６】
そこで本発明は、誤認による故障と勘違いすることを防止することを目的とするものである。
【課題を解決するための手段】
【０００７】
そして、この目的を達成するために、本発明は、吸込口と上方に開口した横長の吹出口を有する本体ケースと、前記本体ケース内に設けられた除湿部と、前記吸込口から吸い込んだ空気を前記除湿部を介して前記吹出口へ送風する送風部と、前記吹出口の上方に、上下方向へ回動自在に設けられた第１の風向変更部と第２の風向変更部と、前記第１の風向変更部を回動させる第１の回動部と、前記第２の風向変更部を回動させる第２の回動部と、湿度を測定する湿度測定部と、前記湿度測定部の測定値に応じて、前記除湿部と、前記送風部と、前記第１の回動部と、前記第２の回動部とを制御する制御部とを備え、前記制御部は、前記湿度測定部の測定値が、所定の値より大きいときには、前記除湿部と前記送風部とを動作させ、前記第１の回動部と前記第２の回動部とを動作が異なるように制御する除湿運転を行い、前記制御部は、前記除湿運転中に、前記湿度測定部の測定値が、所定の値より小さくなると、前記除湿部の動作を停止し、前記第１の回動部と前記第２の回動部によって前記第１の風向変更部と前記第２の風向変更部とを所定の同一角度で停止する待機運転を行う。これにより所期の目的を達成するものである。
【発明の効果】
【０００８】
以上のように本発明によれば、吸込口と上方に開口した横長の吹出口を有する本体ケースと、前記本体ケース内に設けられた除湿部と、前記吸込口から吸い込んだ空気を前記除湿部を介して前記吹出口へ送風する送風部と、前記吹出口の上方に、上下方向へ回動自在に設けられた第１の風向変更部と第２の風向変更部と、前記第１の風向変更部を回動させる第１の回動部と、前記第２の風向変更部を回動させる第２の回動部と、湿度を測定する湿度測定部と、前記湿度測定部の測定値に応じて、前記除湿部と、前記送風部と、前記第１の回動部と、前記第２の回動部とを制御する制御部とを備え、前記制御部は、前記湿度測定部の測定値が、所定の値より大きいときには、前記除湿部と前記送風部とを動作させ、前記第１の回動部と前記第２の回動部とを動作が異なるように制御する除湿運転を行い、前記制御部は、前記除湿運転中に、前記湿度測定部の測定値が、所定の値より小さくなると、前記除湿部の動作を停止し、前記第１の回動部と前記第２の回動部によって前記第１の風向変更部と前記第２の風向変更部とを所定の同一角度で停止する待機運転を行うことにより、待機運転における見た目の違和感から故障と勘違いしないようにすることができる。
【図面の簡単な説明】
【０００９】
【図１】本発明の実施形態の除湿装置の外観斜視図
【図２】同除湿装置の断面図
【図３】同除湿装置の吹出口の外観斜視図
【図４】同除湿装置の第１のサイドケースを除いた吹出口の斜視図
【図５】同除湿装置の第１のサイドケースを除いた本体ケース上部の斜視図
【図６】同除湿装置の上部の外観斜視図
【図７】同除湿装置の上部の外観斜視図
【図８】同除湿装置の上部の外観斜視図
【図９】同除湿装置の上部の平面図
【発明を実施するための形態】
【００１０】
以下、本発明の実施例について図面を参照しながら説明する。
【００１１】
（実施の形態）
図１、図２、図３において、箱型の本体ケース１は、この本体ケース１の上部には吹出口３が配置され、側面には、吸込口２が配置されている。
【００１２】
本体ケース１内には、圧縮機４と放熱器５と膨張器６と吸熱器７とを順次環状に連結し冷媒を循環する冷凍サイクルを設置し、室内空気を吸込口２から吹出口３に送風する送風部８を設置している。さらに、空気から水分を吸着する吸湿部９および、空気に水分を放出する放湿部１０を有する除湿ロータ１１を備え、放湿部１０に供給される空気、および放湿部１０を加熱する加熱手段１２を備えている。
【００１３】
そして、本体ケース１内においては、順次、除湿ロータ１１、吸熱器７、放熱器５、送風部８の順に並設している。吸熱器７と放熱器５の上端は、同じ高さになるように配置されている。除湿ロータ１１は、円板状に形成され中心軸が水平方向にあるように回転可能に立設され、駆動手段１３により回転している。さらに除湿ロータ１１の放湿部１０の風上側には、加熱手段１２を設置している。放湿部１０と吸熱器７とは、対向するように配置されている。
【００１４】
また、本体ケース１内において、吸熱器７の下方には、漏斗状の集水手段１４を設け、さらに、集水手段１４の下方には集水タンク１５を、本体ケース１に対して着脱自在に配置している。つまり、吸熱器７部分で結露をさせ、その結露水を漏斗状の集水手段１４で集めて集水タンク１５に流入させるようにしているのである。
【００１５】
本体ケース１内には、第１送風路１Ａと、第２送風路１Ｂと、第３送風路１Ｃとを備えている。
【００１６】
第１送風路１Ａは、送風部８によって吸込口２から空気を吸引し吸湿部９に供給し、送風部８を介して吹出口３に排出する風路である。第１送風路１Ａにおいては、吸込口２から吸い込まれた室内空気は除湿ロータ１１の吸湿部９に供給される。この時、空気中の水分が吸湿部９に吸着され、乾燥した空気となる。さらに、水分を吸着する際の吸着熱が発生するので、室内空気は湿度が低減し、温度が上昇した状態で、放熱器５および吸熱器７の上方を主に介して送風部８に吸引され、吹出口３から室内へ送風されることになる。
【００１７】
第２送風路１Ｂは、送風部８によって吸込口２から空気を吸引し加熱手段１２、放湿部１０、吸熱器７、放熱器５の順に供給し、送風部８を介して吹出口から排出する風路である。第２送風路１Ｂにおいては、加熱手段１２によって温められた室内空気は、除湿ロータ１１の放湿部１０に供給される。放湿部１０では、吸湿部９で吸着した水分が除湿ロータ１１の回転駆動により放湿部１０に移動し、加熱手段１２の加熱により供給された空気に放出される。この高湿の空気が吸熱器７に供給され、冷却されることにより結露し、水分は水滴として取出される。この後、冷却された空気は、放熱器５に供給され、放熱器５を冷却する。そして、放熱器５から熱を奪い、温度が上昇した空気が送風部８に吸引されることになる。冷凍サイクルとしては、放熱器５を効果的に冷却することが、吸熱器７を冷却するに際して、冷却効率を上昇させることになる。
【００１８】
第３送風路１Ｃは、送風部８によって吸込口２から空気を吸引し放熱器５に供給し、送風部８を介して吹出口３から排出する風路である。第３送風路１Ｃにおいては、吸込口２から吸い込まれた室内空気は、加熱手段１２と除湿ロータ１１と吸熱器７の下方を主に介して放熱器５に供給され、放熱器５を冷却したのち、送風部８に吸引されることになる。
【００１９】
吸熱器７における冷却結露に対しては、その表面積や冷凍サイクルの動作熱量などにより、最適風量が存在する。一方、冷凍サイクルとしては、放熱器５を効果的に冷却することが、吸熱器７を冷却するに際して、冷却効率を上昇させることになる。上述のように第３送風路１Ｃを配置することにより、放熱器５により多くの風量を供給することができるので、冷凍サイクルの冷却効率を向上させることができ、除湿装置の除湿効率を向上させることができるものである。なお、冷凍サイクルと、除湿ロータ１１と、加熱手段１２と、駆動手段１３とが、除湿部である。
【００２０】
図３、図４に示すように、上方に開口した吹出口３の上方に第１の風向変更部１６と第２の風向変更部１７とが、回動自在に設けられている。第１の風向変更部１６と第２の風向変更部１７とは、回動する方向に対して垂直方向に配置されている。具体的には、第１の風向変更部１６と第２の風向変更部１７とは、吹出口３の長辺方向に並び、吹出口３における右側（吹出口３における一方短辺側）には、第１の風向変更部１６を備え、吹出口３における左側（吹出口における他方短辺側）には、第２の風向変更部１７を備えている。第１の風向変更部１６と第２の風向変更部１７との回動軸は、吹出口３の長辺方向に延びている。
【００２１】
第１の風向変更部１６は、略平板形状の第１の風向板２０と、第１の風向板２０の左右端部から水平方向へ延びた２本の第１の軸部分２１とを備えている。吹出口３には、２本の軸部分を支持する２つの第１の支持部分２２が設けられている。第１の軸部分２１の一方側には、第１のギア２３が固定されている。
【００２２】
第２の風向変更部１７は、略平板形状の第２の風向板２６と、第２の風向板２６の左右端部から水平方向へ延びた２本の第２の軸部分（図示せず）とを備えている。吹出口３には、２本の軸部分を支持する２つの第２の支持部分２８が設けられている。第２の軸部分の一方側には、第２のギア（図示せず）が固定されている。
【００２３】
第１の風向変更部１６は、第１の回動部１８によって上下方向に回動するように移動し、第２の風向変更部１７は、第２の回動部（図示せず）によって上下方向に回動するように移動する。
【００２４】
第１の回動部１８は、第１のモータ部分２４と、第１のモータ部分２４の回転軸に固定された第１のモータギア２５とを備えている。第１のモータギア２５は、第１のギア２３と噛み合い、第１のモータ部分２４が駆動すると、第１のモータギア２５が回動し、第１のギア２３、第１の軸部分２１を介して、第１の風向板２０が回動する。
【００２５】
第２の回動部は、第２のモータ部分（図示せず）と、第２のモータ部分の回転軸に固定された第２のモータギア（図示せず）とを備えている。第２のモータギアは、第２のギアと噛み合い、第２のモータ部分が駆動すると、第２のモータギアが回動し、第２のギア、第２の軸部分を介して、第２の風向板２６が回動する。
【００２６】
第１の風向変更部１６および第１の回動部１８と、第２の風向変更部１７および第２の回動部とは本体左右の中心において左右対称の構成である。第１の風向変更部１６である第１の風向板２０の第１の軸部分２１と、第２の風向変更部１７である第２の風向板２６の第２の軸部分とは、同軸上に配置され、本体ケース１における左右方向に延びている。
【００２７】
吹出口３における右側の端部には、第１のサイドケース３２ａを備え、第１のサイドケース３２ａ内には、第１のモータ部分２４と、第１のモータギア２５と、第１のギア２３とを備えている。第１のサイドケース３２ａの左側には、第１の風向板２０の一方側の第１の軸部分２１を支持する第１の支持部分２２を備えている。
【００２８】
吹出口３における左側の端部には、第２のサイドケース３２ｂを備え、第２のサイドケース３２ｂ内には、第２のモータ部分と、第２のモータギアと、第２のギアとを備えている。第２のサイドケース３２ｂの右側には、第２の風向板２６の一方側の第２の軸部分を支持する第２の支持部分２８を備えている。
【００２９】
第１のサイドケース３２ａと第２のサイドケース３２ｂとの間には、吹出口３から上方へ突出した第３のサイドケース３２ｃを備えている。第３のサイドケース３２ｃの右側には、第１の風向板２０の他方側の第１の軸部分２１を支持する第１の支持部分２２を備え、第３のサイドケース３２ｃの左側には、第２の風向板２６の他方側の第２の軸部分を支持する第２の支持部分２８を備えている。
【００３０】
図５に示すように、本体ケース１の上部には、操作部３３と、制御部３４とを備え、本体ケース１の下部には、湿度測定部（図示せず）を有している。
【００３１】
操作部３３によって、自動運転モードを設定すると、制御部３４が、湿度測定部の測定値に応じて、除湿部と、送風部８と、第１の回動部１８と、第２の回動部との動作を制御する。
【００３２】
まず、制御部３４は、湿度測定部の測定値が、所定の値より大きいときには、除湿運転を行う。除湿運転では、制御部３４は、除湿部と送風部８とを動作させ、更に、第１の回動部１８と第２の回動部とを動作が異なるように制御する。具体的には、制御部３４は、除湿部である、冷凍サイクルと、除湿ロータ１１と、加熱手段１２と、駆動手段１３とを動作させ、送風部によって、第１送風路１Ａと、第２送風路１Ｂと、第３送風路１Ｃへ空気を送風する。制御部３４は、第１の風向変更部１６と第２の風向変更部１７を、異なる駆動速度で、約９０度の角度で回転往復運動を繰り返す動作を行う。一例としては、第１のモータ部分２４の回動速度が、第２のモータ部分３０の回動速度より速い制御である。このような構成によれば、第１の風向変更部１６と第２の風向変更部１７の位置は、お互いの速度が違うことで連続的にランダムな位置関係になり、第１の風向変更部１６と第２の風向変更部１７とが近接する部分を中心に、それらを介して吹出される送風は連続的に風向と風速がランダムに変更される。干された衣類に当たる風向と風速がランダムに変わることで、衣類が揺れる作用が働き、揺れることでさらに衣類に当たる風向と風速がランダムに変わるという作用が生まれることで、衣類に当たる送風の表面積が大きくなり、乾きムラを低減することで衣類乾燥速度を向上することができる。
【００３３】
次に、制御部３４は、除湿運転中に、湿度測定部の測定値が、所定の値より小さくなると、待機運転を行う。待機運転では、制御部３４は、送風部８の動作を継続し、除湿部の動作を停止させ、第１の回動部１８と第２の回動部によって第１の風向変更部１６と第２の風向変更部１７とを所定の同一角度で停止させる。つまり、制御部３４が、湿度を設定値に制御するためなど本体運転継続中に除湿機能を停止し一時待機状態に移行するとき、図６のように、第１の風向変更部１６と第２の風向変更部１７の角度を揃えて停止するように制御するようにしたものである。
【００３４】
このような構成によれば、図５のように、第１の風向変更部１６と第２の風向変更部１７が異なる方向を向くことによって、唐突に停止したのではなく、機器が所定の動作として制御されていることを示し、見た目の違和感から故障と勘違いすることを防止することができる。
【００３５】
また、第１の風向変更部１６と第２の風向変更部１７とは、吹出口３の長辺方向に並び、第１の風向変更部１６は、吹出口３における右側（吹出口３における一方短辺側）に設けられ、第２の風向変更部１７は、吹出口３における左側（吹出口３における他方短辺側）に設けられている。第１の風向変更部１６と第２の風向変更部１７との回動軸は、吹出口の長辺方向に延びている。
【００３６】
これにより、待機運転では、制御部３４は、除湿部の動作を停止させ、第１の回動部１８と第２の回動部によって第１の風向変更部１６と第２の風向変更部１７とを所定の同一角度で停止させるので、第１の風向変更部１６と第２の風向変更部１７とが一枚の板のように見える。結果として、機器が所定の動作として制御されていることを示し、見た目の違和感から故障と勘違いすることを更に防止することができる。
【００３７】
また、所定の同一角度は、全閉状態より３０度から６０度開いた角度である。このように、角度を全閉状態より３０度から６０度開いた状態に揃えて停止するように制御するようにすれば、一時待機状態において、第１の風向変更部１６と第２の風向変更部１７が図７のように、全閉状態となることもなく、逆に図８のように、全開状態となることもないため、図９のように吹出口３の開口部を上方から見て約７０％以上カバーしている。したがって、第１の風向変更部１６と第２の風向変更部１７が閉じた状態で、機器自体が停止してしまったと使用者が誤認し故障と勘違いすることを防止することができる。さらに、第１の風向変更部１６と第２の風向変更部１７が開いた状態で、送風口から本体内に埃や異物が入ってしまい故障の原因となることを防止することができる。
【００３８】
また、本発明のように湿度を設定値に制御するためなど本体運転継続中に除湿機能を停止し一時待機状態に移行するときに、第１の風向変更部１６と第２の風向変更部１７を停止することは、省エネ性の観点からも、駆動部の耐久性の観点からも有効な手段である。
【産業上の利用可能性】
【００３９】
本発明にかかる除湿装置は、自動で動く風向変更部を搭載する除湿装置の外観品位の向上を可能とするものであるので、衣類乾燥用に使用される除湿装置等として有用である。
【符号の説明】
【００４０】
１    本体ケース
１Ａ    第１送風路
１Ｂ    第２送風路
１Ｃ    第３送風路
２    吸込口
３    吹出口
４    圧縮機
５    放熱器
６    膨張器
７    吸熱器
８    送風部
９    吸湿部
１０    放湿部
１１    除湿ロータ
１２    加熱手段
１３    駆動手段
１４    集水手段
１５    集水タンク
１６    第１の風向変更部
１７    第２の風向変更部
１８    第１の回動部
２０    第１の風向板
２１    第１の軸部分
２２    第１の支持部分
２３    第１のギア
２４    第１のモータ部分
２５    第１のモータギア
２６    第２の風向板
２８    第２の支持部分
３２ａ    第１のサイドケース
３２ｂ    第２のサイドケース
３２ｃ    第３のサイドケース
３３    操作部
３４    制御部
【図１】
2018140350.tif 000003
【図２】
2018140350.tif 000004
【図３】
2018140350.tif 000005
【図４】
2018140350.tif 000006
【図５】
2018140350.tif 000007
【図６】
2018140350.tif 000008
【図７】
2018140350.tif 000009
【図８】
2018140350.tif 000010
【図９】
2018140350.tif 000011